(57)【特許請求の範囲】
【請求項１】
連続する第１の辺及び第２の辺を有する底部と、
前記第１の辺及び前記第２の辺のそれぞれから上方へ延び、それによって、互いに隣接する第１の側壁部及び第２の側壁部と、
前記第１の側壁部の一方の側端に接続しており、前記第２の側壁部の内面に対向する第１の側方フラップと、
前記第１の側方フラップに延設されており、前記第２の側壁部の上端よりも上方へ突き出す第１の係止片と、
前記第２の側壁部に接続して前記第１の側方フラップの上方に延びる第１の上方フラップとを備え、
前記第１の上方フラップは、
前記第１の係止片が挿入され、それによって、前記第１の係止片を係止する第１の係止スリットと、
前記第１の係止片の幅以上の間隔で対をなして延び前記第１の係止スリットに接続する切れ込みによって形成された第１の可撓部とを有し、
前記第１の係止スリットは、前記第１の係止片の幅よりも広い幅を有し、
前記第１の可撓部は、先端から突き出して前記第１の係止スリットの一部を塞ぎ、それによって、前記第１の係止片が前記第１の側壁部及び前記第２の側壁部を互いに離間させる方向へ移動することを制限する突出部を有する、
箱容器。
【請求項２】
前記第１の係止片の側端のうち前記第１の側壁部に近い側端は、当該側端に接続する前記第１の側方フラップの上端に対して垂直又は鋭角に形成されている
請求項１に記載の箱容器。
【請求項３】
前記第１の側壁部及び第２の側壁部を含み、前記底部に接続して上部に開口を形成する複数の側壁部と、
前記第１の側壁部に対向する側壁部の上端に接続しており、前記開口を塞ぐ蓋部と、
前記蓋部の先端から延設され、切れ込みによって形成された差込片を有する蓋止めフラップと、
前記複数の側壁部のうち、前記第１の側壁部に切れ込みによって形成されており、前記差込片が差し込まれ、それによって、前記差込片を係止する差込口とをさらに備える
請求項１又は２に記載の箱容器。
【請求項４】
前記底部は、前記第２の辺に連続する第３の辺をさらに有し、
前記箱容器は、
前記第３の辺から上方へ延び、それによって、前記第２の側壁部と互いに隣接する第３の側壁部と、
前記第３の側壁部の一方の側端に接続しており、前記第２の側壁部の内面に対向する第２の側方フラップと、
前記第２の側方フラップに延設されており、前記第２の側壁部の上端よりも上方へ突き出す第２の係止片とをさらに備え、
前記第１の係止スリットは、前記第１の係止片及び第２の係止片のいずれもが挿入され、それによって、前記第１の係止片及び前記第２の係止片を係止し、
前記第１の可撓部は、前記第１の係止片と前記第２の係止片との各々が有する側端のうち、前記第１の側壁部に最も近い側端と前記第３の側壁部に最も近い側端との距離以上の間隔で前記第１の係止スリットに接続する切れ込みによって形成される
請求項１から３のいずれか１項に記載の箱容器。
【請求項５】
前記第１の係止片と前記第２の係止片とは、前記第２の側壁部に平行に配置され、前記第２の側壁部の法線方向から見て少なくとも一部が互いに重なり合う
請求項４に記載の箱容器。
【請求項６】
前記底部は、前記第２の辺に接続した第３の辺と、前記第３の辺及び前記第１の辺に接続した第４の辺とをさらに有する四角形であり、
前記箱容器は、
前記第３の辺から上方へ延び、それによって、前記第２の側壁部と互いに隣接する第３の側壁部と、
前記第４の辺から上方へ延び、それによって、前記第３の側壁部及び前記第１の側壁部の各々と互いに隣接する第４の側壁部と、
前記第３の側壁部の一方の側端に接続しており、前記第２の側壁部の内面に対向する第２の側方フラップと、
前記第１の側壁部の他方の側端に接続しており、前記第４の側壁部の内面に対向する第３の側方フラップと、
前記第３の側壁部の他方の側端に接続しており、前記第４の側壁部の内面に対向する第４の側方フラップと、
前記第２の側方フラップに延設されており、前記第２の側壁部の上端よりも上方へ突き出す第２の係止片と、
前記第３の側方フラップに延設されており、前記第４の側壁部の上端よりも上方へ突き出す第３の係止片と、
前記第４の側方フラップに延設されており、前記第４の側壁部の上端よりも上方へ突き出す第４の係止片と、
前記第４の側壁部に接続して前記第３の側方フラップ及び前記第４の側方フラップの上方に延びる第２の上方フラップとを備え、
前記第１の上方フラップは、
前記第２の係止片が挿入され、それによって、前記第２の係止片を係止する第２の係止スリットと、
前記第２の係止片の幅以上の間隔で対をなして延び前記第２の係止スリットに接続する切れ込みによって形成された第２の可撓部とをさらに有し、
前記第２の上方フラップは、
前記第３の係止片が挿入され、それによって、前記第３の係止片を係止する第３の係止スリットと、
前記第４の係止片が挿入され、それによって、前記第４の係止片を係止する第４の係止スリットと、
前記第３の係止片の幅以上の間隔で対をなして延び前記第３の係止スリットに接続する切れ込みによって形成された第３の可撓部と、
前記第４の係止片の幅以上の間隔で対をなして延び前記第４の係止スリットに接続する切れ込みによって形成された第４の可撓部とを有する
請求項１から３のいずれか１項に記載の箱容器。
【請求項７】
内面側に蒸着層が設けられた
請求項１から６のいずれか１項に記載の箱容器。
【請求項８】
連続する第１の辺及び第２の辺を有する底部と、
前記第１の辺及び前記第２の辺のそれぞれに接続する第１の側壁部及び第２の側壁部と、
前記第１の側壁部の一方の側端に接続している第１の側方フラップと、
前記第１の側方フラップの端部に延設されており、前記第１の側壁部と前記第２の側壁部とを互いに隣接させるように前記第１の辺と前記第２の辺との各辺で折り曲げた場合に、前記第２の側壁部の上端よりも上方へ突き出す第１の係止片と、
前記第２の側壁部の端部のうち、前記第２の辺と対向する端部に接続する第１の上方フラップとを備え、
前記第１の上方フラップは、
前記第１の側壁部と前記第２の側壁部とを互いに隣接させるように前記第１の辺と前記第２の辺との各辺で折り曲げ、かつ、前記第１の側方フラップの上方に延びるように前記第１の上方フラップを折り曲げた場合に、前記第１の係止片が挿入され、それによって、前記第１の係止片を係止する第１の係止スリットと、
前記第２の側壁部の端部のうち前記第１の上方フラップが接続する端部と交差する方向へ対をなして延び、かつ、前記第１の係止片の幅以上の間隔で前記第１の係止スリットに接続する切れ込みによって形成された第１の可撓部とを有し、
前記第１の係止スリットは、前記第１の係止片の幅よりも広い幅を有し、
前記第１の可撓部は、前記第１の側壁部と前記第２の側壁部とを互いに隣接させるように前記第１の辺と前記第２の辺との各辺で折り曲げ、かつ、前記第１の側方フラップの上方に延びるように前記第１の上方フラップを折り曲げた場合に、先端から突き出して前記第１の係止スリットの一部を塞ぎ、それによって、前記第１の係止片が前記第１の側壁部及び前記第２の側壁部を互いに離間させる方向へ移動することを制限する突出部を有する、
箱容器用のシート状部材。
【発明の詳細な説明】
【技術分野】
【０００１】
本発明は、組み立て式の箱容器及び箱容器に組み立てられるシート状部材に関する。
【背景技術】
【０００２】
予め定めた形状に打ち抜かれた紙などを適宜折り曲げることによって組み立てられる箱容器は、種々提案されている。
【０００３】
例えば、特許文献１には、間隔Ｌ１を隔てて平行する第１の折り線対及び間隔Ｌ２を隔てて平行する第２の折り線対により区画される床壁と、第１の折り線対を介して連続する第１の側壁対と、第２の折り線対を介して連続する第２の側壁対とを有する包装箱が開示されている。特許文献１に記載の包装箱は、第２の側壁対にぞれぞれ第５の折り線対を介して連続する一対の蓋止めフラップと、第１の側壁対にぞれぞれ第６の折り線対を介して連続する二対の中入れフラップとを有する。
【０００４】
さらに、特許文献１には、第５の折り線対の両端部分の近傍の中間部分に設けた二対の切り込みと、二対の中入れフラップの各側縁部に設けた突起とによって、互いに係合しあって第２の側壁対の開放を防止する第２の係止ロック手段が設けることが記載されている。
【先行技術文献】
【特許文献】
【０００５】
【特許文献１】特開２０００−５３１１９号公報
【発明の概要】
【発明が解決しようとする課題】
【０００６】
特許文献１に記載の包装箱では、切り込みと突起とを係合させる際、突起の先端は、蓋止めフラップに当接して、蓋止めフラップから強い力を受ける。その結果、特許文献１に記載の包装箱では、切り込みと突起とを係合させる際、突起が折れ曲がったり、突起に曲げ癖が付いたりすることで、突起が脆弱になる可能性が高い。
【０００７】
特許文献１に記載の包装箱において、蓋止めフラップから強い力を受けない或いは弱めるように切り込みと突起とを係合させることは、構造上困難と考えられる。これが可能であるとしても、非常に手間が掛かる可能性が高い。また、突起が脆弱になってしまうと、突起を切り込みに挿入することは、通常、極めて困難である。
【０００８】
本発明は、上述の事情に鑑みてなされたもので、容易に組み立てることが可能な箱容器を提供することを目的とする。
【課題を解決するための手段】
【０００９】
上記目的を達成するため、本発明に係る箱容器は、
連続する第１の辺及び第２の辺を有する底部と、
前記第１の辺及び前記第２の辺のそれぞれから上方へ延び、それによって、互いに隣接する第１の側壁部及び第２の側壁部と、
前記第１の側壁部の一方の側端に接続しており、前記第２の側壁部の内面に対向する第１の側方フラップと、
前記第１の側方フラップに延設されており、前記第２の側壁部の上端よりも上方へ突き出す第１の係止片と、
前記第２の側壁部に接続して前記第１の側方フラップの上方に延びる第１の上方フラップとを備え、
前記第１の上方フラップは、
前記第１の係止片が挿入され、それによって、前記第１の係止片を係止する第１の係止スリットと、
前記第１の係止片の幅以上の間隔で対をなして延び前記第１の係止スリットに接続する切れ込みによって形成された第１の可撓部とを有し、
前記第１の係止スリットは、前記第１の係止片の幅よりも広い幅を有し、
前記第１の可撓部は、先端から突き出して前記第１の係止スリットの一部を塞ぎ、それによって、前記第１の係止片が前記第１の側壁部及び前記第２の側壁部を互いに離間させる方向へ移動することを制限する突出部を有する。
【発明の効果】
【００１０】
本発明によれば、第１の可撓部が、第１の係止片の幅以上の間隔で対をなして延び第１の係止スリットに接続した切れ込みによって、第１の上方フラップに形成されている。対をなす切れ込みの各々が第１の係止スリットに接続しているので、切れ込みの間に位置する第１の可撓部の端部は、一方が、上方フラップに対して移動可能な自由端となり、他方が上方フラップに固定される固定端となる。
【００１１】
そのため、箱容器を組み立てる作業者が、第１の可撓部に第１の係止片を当接させつつ第１の上方フラップを内側へ折り曲げると、第１の可撓部は、第１の係止片から受ける力によって撓む。その結果、第１の係止片を第１の係止スリットへ挿入する際に第１の可撓部から第１の係止片が受ける力は、第１の可撓部が上方フラップに形成されていない場合に第１の係止片が第１の上方フラップから受ける力よりも、小さくなる。その結果、第１の係止片を第１の係止スリットへ挿入する際に、第１の係止片が脆弱になることを防ぐことができる。
【００１２】
また、第１の係止片は、第１の係止スリットへ挿入する際に撓んだ第１の可撓部からの反力によって第１の係止スリットへ向けて押される。そのため、第１の係止片を第１の係止スリットへ挿入する際に、第１の可撓部は第１の係止片を第１の係止スリットへ移動させることができる。
【００１３】
このように、第１の可撓部によって、第１の係止片を第１の係止スリットへ挿入する際に、第１の係止片が脆弱になることを防ぎ、また、第１の係止片を第１の係止スリットへ移動させることができる。従って、箱容器を容易に組み立てることが可能になる。
【図面の簡単な説明】
【００１４】
【図１】本発明の一実施の形態に係る箱容器の蓋を閉めた状態での斜視図である。
【図２】一実施の形態に係る箱容器の蓋を開いた状態での斜視図である。
【図３】一実施の形態に係る係止片及び係止スリットの近傍の拡大斜視図である。
【図４】一実施の形態に係る箱容器を組み立てるためのブランクの一例を示す図である。
【図５】一実施の形態に係る箱容器を組み立てる途中での第１の状態を示す図である。
【図６】一実施の形態に係る箱容器を組み立てる途中での第２の状態を示す図である。
【図７】第２の状態での箱容器を左方から見た図である。
【図８】一実施の形態に係る箱容器を組み立てる途中で、係止片を係止スリットに挿入する工程を示す図である。
【図９】変形例２に係る箱容器の蓋を開いた状態での斜視図である。
【図１０】変形例２に係る箱容器を組み立てるためのブランクの一例を示す図である。
【図１１】変形例３に係る箱容器の蓋を開いた状態での斜視図である。
【図１２】変形例３に係る箱容器を組み立てるためのブランクの一例を示す図である。
【発明を実施するための形態】
【００１５】
以下、本発明の一実施の形態について、図面を参照しつつ説明する。全図を通じて同一の要素には同一の符号を付す。実施の形態の説明で用いる前、後、左、右、上、下の用語は、方向を示すために用いるのであって、本発明を限定する趣旨ではない。
【００１６】
本発明の一実施の形態に係る箱容器１００は、図１の蓋部１１６を閉めた状態での斜視図及び図２の蓋部１１６を開けた状態での斜視図に示すように、概ね直方体をなす箱状の容器である。図２では、蓋部１１６の一部を切り欠いて示している。
【００１７】
箱容器１００は、シート状の部材を折り曲げることによって組み立てられており、概ね、底部１０１と、側壁部１０２〜１０５と、側方フラップ１０６〜１０９と、係止片１１０〜１１３と、上方フラップ１１４，１１５と、蓋部１１６と、蓋止めフラップ１１７とを備える。本実施の形態に係る箱容器１００は、左右対称に、すなわち前後方向及び上下方向で規定される面（前後−上下面）に関して対称に構成されている。
【００１８】
底部１０１は、図１に示す箱容器１００を上方から見た場合に、前方の辺（前辺）と左方の辺（左辺）と後方の辺（後辺）と右方の辺（右辺）との４辺を外縁に有する長方形である。従って、本実施の形態に係る底部１０１は、４組みの連続する辺（前辺と左辺、左辺と後辺、後辺と右辺、右辺と前辺）とを有する。
【００１９】
なお、例えば、本実施の形態に係る前辺、左辺、後辺、右辺は、それぞれ、第１の辺、第２の辺、第３の辺、第４の辺に相当すると考えることができるが、底部１０１は、長方形或いは四角形に限られない。底部１０１は、少なくとも１組の連続する辺（第１の辺及び第２の辺）を有する形状であればよい。
【００２０】
側壁部１０２〜１０５は、底部１０１が有する前辺、左辺、後辺及び右辺にそれぞれ接続しており、底部１０１の前辺、左辺、後辺及び右辺のそれぞれから上方へ延びる。これにより、側壁部１０２〜１０５の上端は、上部に開口を形成する。
【００２１】
本実施の形態では、側壁部１０２〜１０５は、各々の法線方向から見た場合に、概ね矩形である。前方の側壁部１０２と左方の側壁部１０３とは、底部１０１が有する連続する辺である前辺と左辺のそれぞれから互いに隣接して上方へ延びる。左方の側壁部１０３と後方の側壁部１０４、後方の側壁部１０４と右方の側壁部１０５、右方の側壁部１０５と前方の側壁部１０２についても同様に、底部１０１が有する連続する辺（左辺と後辺、後辺と右辺、右辺と前辺）のそれぞれから互いに隣接して上方へ延びる。
【００２２】
従って、本実施の形態に係る側壁部１０２〜１０５では、前方の側壁部１０２と後方の側壁部１０４とが対をなして互いに対向し、また、左方の側壁部１０３と右方の側壁部１０５とが対をなして互いに対向する。
【００２３】
なお、例えば、本実施の形態に係る前方の側壁部１０２、左方の側壁部１０３、後方の側壁部１０４、右方の側壁部１０５は、それぞれ、第１の側壁部、第２の側壁部、第３の側壁部、第４の側壁部に相当すると考えることができる。
【００２４】
側方フラップ１０６〜１０９は、隣接する側壁部１０２と１０３，１０３と１０４，１０４と１０５，１０５と１０２のうちの一方の側壁部である前方の側壁部１０２又は後方の側壁部１０４に接続している。また、側方フラップ１０６〜１０９は、隣接する側壁部１０２と１０３，１０３と１０４，１０４と１０５，１０５と１０２のうちの他方の側壁部である左方の側壁部１０３又は右方の側壁部１０５の内面に対向する。
【００２５】
詳細には、左前方の側方フラップ１０６は、前方の側壁部１０２（隣接する側壁部１０２と１０３のうちの一方の側壁部）が有する左右の両側端のうちの左方の側端（左端）に接続しており、その左端から後方へ延びる。この側方フラップ１０６が有する２つの主面のうちの外面（左方を向く主面）は、左方の側壁部１０３（隣接する側壁部１０２と１０３のうちの他方の側壁部）の内面（右方を向く主面）に対向する。
【００２６】
ここで、前方の側壁部１０２と左方の側壁部１０３とは、底部１０１の連続する辺に接続されて隣接して上方へ延びており、左前方の側方フラップ１０６は、前方の側壁部１０２の左端に接続している。そのため、左前方の側方フラップ１０６の外面と左方の側壁部１０３の内面とは、概ね、各々の全体が当接するか、各々の一部又は全部が僅かなすき間で位置付けられる。このすき間は、例えば、箱容器１００に収容される物が外に出ない程度であればよい。
【００２７】
左後方の側方フラップ１０７は、後方の側壁部１０４（隣接する側壁部１０３と１０４のうちの一方の側壁部）が有する左右の両側端のうちの左方の側端（左端）に接続しており、その左端から前方へ延びる。この側方フラップ１０７が有する２つの主面のうちの外面（左方を向く主面）は、左方の側壁部１０３（隣接する側壁部１０３と１０４のうちの他方の側壁部）の内面（右方を向く主面）に対向する。
【００２８】
左後方の側方フラップ１０７の外面と左方の側壁部１０３の内面とは、上述の左前方の側方フラップ１０６の外面と左方の側壁部１０３の内面と同様に、概ね、各々の全体が当接するか、各々の一部又は全部が僅かなすき間で位置付けられる。
【００２９】
右前方の側方フラップ１０８と右後方の側方フラップ１０９とは、それぞれ、上述の左前方の側方フラップ１０６と左後方の側方フラップ１０７とを、前後−上下面に関して対称に配置した構成を備える。すなわち、右前方の側方フラップ１０８は、上述の左前方の側方フラップ１０６に関する説明において概ね左右を入れ替えた構成を備える。また、右後方の側方フラップ１０９と、上述の左後方の側方フラップ１０７に関する説明において概ね左右を入れ替えた構成を備える。
【００３０】
なお、例えば、本実施の形態に係る左前方の側方フラップ１０６、左後方の側方フラップ１０７、右前方の側方フラップ１０８、右後方の側方フラップ１０９は、それぞれ、第１の側方フラップ、第２の側方フラップ、第３の側方フラップ、第４の側方フラップに相当すると考えることができる。
【００３１】
係止片１１０〜１１３は、それぞれ、側方フラップ１０６〜１０９の上端から上方へ延設されている。左前方の係止片１１０と左後方の係止片１１１とは、それぞれが延設される側方フラップ１０６，１０７が対向する左方の側壁部１０３の上端よりも、上方へ突き出す。右前方の係止片１１２と右後方の係止片１１３とは、それぞれが延設される側方フラップ１０８，１０９が接する右方の側壁部１０５の上端よりも、上方へ突き出す。
【００３２】
なお、本実施の形態では、係止片１１２，１１３が側方フラップ１０８，１０９の各々に１つずつ設けられる例により説明するが、係止片１１２，１１３は、側方フラップ１０８，１０９の各々に１つ以上設けられていればよい。例えば、係止片１１２，１１３は、側方フラップ１０８，１０９の各々に２つ以上設けられていてもよい。
【００３３】
詳細には、左前方の係止片１１０は、左前方の側方フラップ１０６の上端のうちの後方端部を含んで上方へ突き出す、左方から見て長方形の小片である。左後方の係止片１１１は、左後方の側方フラップ１０７の上端のうちの前方端部を含んで上方へ突き出す、左方から見て長方形の小片である。
【００３４】
左前方の係止片１１０と左後方の係止片１１１とは、いずれも、上述のように長方形である。そのため、左前方の係止片１１０において、前方の側端（前端）は、左前方の係止片１１０が延設される左前方の側方フラップ１０６の上端に対して垂直に形成されている。また、左後方の係止片１１１において、後方の側端（後端）は、左後方の係止片１１１が延設される左後方の側方フラップ１０７の上端に対して垂直に形成されている。
【００３５】
ここで、左前方の係止片１１０の前端と左後方の係止片１１１の後端とは、それぞれ、係止片１１０，１１１が有する前後の両側端のうち、係止片１１０，１１１が延設される側方フラップ１０６，１０７が接続する側壁部１０２，１０４に近い側端である。
【００３６】
右前方の係止片１１２と右後方の係止片１１３とは、それぞれ、上述の左前方の係止片１１０と左後方の係止片１１１とを、前後−上下面に関して対称に配置した構成を備える。すなわち、右前方の係止片１１２は、上述の左前方の係止片１１０に関する説明において概ね左右を入れ替えた構成を備える。また、右後方の係止片１１３と、上述の左後方の係止片１１１に関する説明において概ね左右を入れ替えた構成を備える。
【００３７】
なお、例えば、本実施の形態に係る左前方の係止片１１０、左後方の係止片１１１、右前方の係止片１１２、右後方の係止片１１３は、それぞれ、第１の係止片、第２の係止片、第３の係止片、第４の係止片に相当すると考えることができる。
【００３８】
上方フラップ１１４，１１５は、隣接する側壁部１０２と１０３，１０３と１０４，１０４と１０５，１０５と１０２のうちの他方の側壁部である左方の側壁部１０３又は右方の側壁部１０５に接続している。
【００３９】
左方の上方フラップ１１４は、左前方の側方フラップ１０６と左後方の側方フラップ１０７との上方に延びて設けられている。右方の上方フラップ１１５は、右前方の側方フラップ１０８と右後方の側方フラップ１０９との上方に延びて設けられている。なお、例えば、本実施の形態に係る左方の上方フラップ１１４、右方の上方フラップ１１５は、それぞれ、第１の上方フラップ、第２の上方フラップに相当すると考えることができる。
【００４０】
詳細には、左方の上方フラップ１１４は、２つの係止スリット１１８，１１９と２つの可撓部１２２，１２３とを有し、右方の上方フラップ１１５は、２つの係止スリット１２０，１２１と２つの可撓部１２４，１２５とを有する。
【００４１】
係止スリット１１８〜１２１は、それぞれ、係止片１１０〜１１３が挿入されるように係止片１１０〜１１３に対応付けて設けられた孔であり、上方から見て概ね矩形である。
【００４２】
係止スリット１１８〜１２１の幅は、それぞれ、挿入される係止片１１０〜１１３の幅よりも広く、係止片１１０〜１１３が挿入された状態で幅方向にすき間を有する。
【００４３】
例えば、係止スリット１１８の幅は、挿入される係止片１１０の幅に、係止片１１０の高さの２〜３倍を加えた長さに相当するものである。この場合、係止片１１０が挿入された状態で係止スリット１１８が幅方向に有するすき間は、係止片１１０の高さの２〜３倍になる。ここで、係止片１１０の高さは、挿入される係止片１１０が側方フラップ１０６の上端から上方へ突き出す長さに相当する。係止スリット１１１〜１１３の幅についても、同様であってよい。
【００４４】
係止スリット１１８〜１２１の各々の厚さ方向の長さは、それぞれ、係止片１１０〜１１３の厚さより大きい。例えば、係止スリット１１８の厚さ方向の長さは、係止片１１０の厚さの２倍程度である。係止スリット１１９〜１２１の厚さ方向の長さについても、同様であってよい。
【００４５】
ここで、係止スリット１１８〜１２１の幅は、それぞれ、係止スリット１１８〜１２１の長手方向の長さを意味し、本実施の形態では前後方向の長さである。係止スリット１１８〜１２１の厚さ方向の長さは、それぞれ、係止スリット１１８〜１２１の短手方向の長さを意味し、本実施の形態では左右方向の長さである。
【００４６】
また、係止片１１０〜１１３の幅は、係止片１１０〜１１３が突き出す方向（上方）と厚さ方向（箱容器１００の材料であるシート状の部材の厚さに対応する方向であって、本実施の形態では左右方向）とに垂直な方向の長さを意味し、本実施の形態では前後方向の長さである。
【００４７】
このような係止スリット１１８〜１２１に挿入された係止片１１０〜１１３は、係止スリット１１８〜１２１を囲む部分によって前後左右の移動範囲が制限され、その結果、係止スリット１１８〜１２１の中に係止される。
【００４８】
より詳細には、左前方の係止スリット１１８と左後方の係止スリット１１９との各々を囲む部分は、右方、前方、後方の各々が左方の上方フラップ１１４であり、左方が左方の側壁部１０３である。右前方の係止スリット１２０と右後方の係止スリット１２１との各々を囲む部分は、左方、前方、後方の各々が右方の上方フラップ１１５であり、右方が右方の側壁部１０５である。
【００４９】
なお、例えば、本実施の形態に係る左前方の係止スリット１１８、左後方の係止スリット１１９、右前方の係止スリット１２０、右後方の係止スリット１２１は、それぞれ、第１の係止スリット、第２の係止スリット、第３の係止スリット、第４の係止スリットに相当すると考えることができる。
【００５０】
可撓部１２２，１２３は、それぞれ、左方の側壁部１０３と交差する方向へ対をなして延び、かつ、係止片１１０，１１１の幅以上の間隔で各々が係止スリット１１８，１１９に接続する切れ込みによって形成される。可撓部１２４，１２５は、それぞれ、右方の側壁部１０５と交差する方向へ対をなして延び、かつ、係止片１１２，１１３の幅以上の間隔で各々が係止スリット１２０，１２１に接続する切れ込みによって形成される。
【００５１】
本実施の形態では、左前方の可撓部１２２の各々を形成する切れ込みは、左右に平行に対をなして延びており、係止スリット１１８の幅方向の両端の各々に接続する。可撓部１２３〜１２５についても、同様に構成される。
【００５２】
これにより、左前方の可撓部１２２と左後方の可撓部１２３は、右端部が固定されて支持された固定端となり、左端部（先端部）が自由端となる。右前方の可撓部１２４と右後方の可撓部１２５は、左端部が固定されて支持された固定端となり、右端部（先端部）が自由端となる。従って、可撓部１２２〜１２５の各々は、先端部の位置を上下方向に変化させるように容易に撓むことができる。
【００５３】
可撓部１２２〜１２５は、それぞれ、係止片１１０〜１１３が挿入された状態で係止スリット１１８〜１２１が有する幅方向のすき間の少なくとも一部を塞ぐ突出部１２６〜１２９を有する。
【００５４】
詳細には、左前方の突出部１２６と左後方の突出部１２７とは、それぞれ、可撓部１２３，１２４の先端のうち、前方の側壁部１０２に近い端（前端）と後方の側壁部１０４に近い端（後端）とを含んで突き出す。
【００５５】
これにより、左前方の突出部１２６は、左前方の突出部１２６を有する左方の上方フラップ１１４が接続する左方の側壁部１０３と、左前方の突出部１２６に関連付けられる前方の側壁部１０２とが離間する方向への左前方の係止片１１０の移動を制限する。また、左後方の突出部１２７は、左後方の突出部１２７を有する左方の上方フラップ１１４が接続する左方の側壁部１０３と、左後方の突出部１２７に関連付けられる後方の側壁部１０４とが離間する方向への左後方の係止片１１１の移動を制限する。
【００５６】
ここで、左前方の突出部１２６と前方の側壁部１０２とは、左前方の突出部１２６が塞ぐ係止スリット１１８により係止される係止片１１０が延設される左前方の側方フラップ１０６が接続する側壁部として、関連付けられる。また、左後方の突出部１２７と後方の側壁部１０４とは、左後方の突出部１２７が塞ぐ係止スリット１１９により係止される係止片１１１が延設される左前方の側方フラップ１０６が接続する側壁部として、関連付けられる。
【００５７】
右前方の突出部１２８と右後方の突出部１２９とは、それぞれ、上述の左前方の突出部１２６と左後方の突出部１２７とを、前後−上下面に関して対称に配置した構成を備える。すなわち、右前方の突出部１２８は、上述の左前方の突出部１２６に関する説明において概ね左右を入れ替えた構成を備える。また、右後方の突出部１２９と、上述の左後方の突出部１２７に関する説明において概ね左右を入れ替えた構成を備える。
【００５８】
なお、例えば、本実施の形態に係る左前方の可撓部１２２、左後方の可撓部１２３、右前方の可撓部１２４、右後方の可撓部１２５は、それぞれ、第１の可撓部、第２の可撓部、第３の可撓部、第４の可撓部に相当すると考えることができる。
【００５９】
蓋部１１６は、複数の側壁部１０２〜１０５のうちの少なくとも１つの側壁部１０４の上端に接続している。蓋部１１６は、複数の側壁部１０２〜１０５の上端により形成される開口の上方を塞ぐ。蓋部１１６は、例えば１枚の打ち抜かれたシート状部材から箱容器１００を組み立てるためには、上方フラップ１１４，１１５が接続されない側壁部の上端に接続することが望ましく、本実施の形態では、後方の側壁部１０４の上端に接続する。
【００６０】
蓋止めフラップ１１７は、蓋部１１６の先端から延設されている。蓋止めフラップ１１７は、概ね左右の軸を中心に前後へ搖動するように、切れ込みにより形成された差込片１３０を有する。
【００６１】
本実施の形態では、差込片１３０は、左右方向の概ね中央において左右に延びる切れ込みと、切れ込みの両端の各々から左右の間隔を広げるように傾斜して下方へ延びる切れ込みとによって、形成される。
【００６２】
蓋部１１６が接続する後方の側壁部１０４に対向する側壁部である前方の側壁部１０２は、差込片１３０が差し込まれて係止される差込口１３１を有する。本実施の形態に係る差込口１３１は、概ね左右に延びる切れ込みによって形成される。これによって、概ね左右に延びる開口を前方の側壁部１０２に形成することができるので、差込口１３１の開口に差込片１３０を差し込むことで、差込片１３０は差込口１３１に係止される。
【００６３】
蓋止めフラップ１１７には、下方へ延びる切れ込みの下端を通る折り目が設けられており、それによって、蓋止めフラップ１１７を容易に揺動させることができる。また、前方の側壁部１０２には、左右に延びる切れ込みの両端から、中央へ向けて傾斜しつつ下方へ延びる切れ込みと、この切れ込みの下端を接続する折り目が設けられている。これによって、差込口１３１の開口を容易に開くことができる。これらによって、差込片１３０を差込口１３１に容易に差し込むことが可能になる。
【００６４】
これまで、本発明の一実施の形態に係る箱容器１００の構成について説明した。ここから、本実施の形態に係る箱容器１００の組み立て方法の一例について説明する。
【００６５】
本実施の形態に係る箱容器１００は、例えば、図４に示すような形状で打ち抜かれたブランク１３２を、予め定められた手順で折り曲げることで組み立てられる。
【００６６】
ブランク１３２は、予め定められた形状に打ち抜かれた紙であって、フィルムの接着、コーティングなどが適宜施されてもよい。例えば、ＰＥＴ（ポリエチレンテレフタラート）が紙にラミネートされてもよく、さらに、厚さ５０〜１５０Å程度でアルミニウムがＰＥＴに蒸着されていてもよい。折り曲げたり係止させたりするなどの組み立ての容易さ、組み立てられた箱容器１００の強度などの観点から、例えば２６０〜２７０ｇ／ｍ２程度の紙が好適に採用される。箱容器内面にアルミニウムなどの蒸着層を設けることで、例えば箱容器１００の内部に食べ物を入れて電子レンジで加熱すると、内部の食べ物に焦げ目を付けることができる。
【００６７】
なお、箱容器１００に組み立てられる部材は、シート状のものであればよく、例えば樹脂を主たる材料としてもよい。
【００６８】
ブランク１３２には、予め定められた箇所で容易に折り曲げることができるように、折り目が設けられるとよい。図４では、線状のプレスにより設けられた折り目を細線で表し、破線状に設けられた切れ込みにより設けられた折り目を点線で表す。なお、折り目の付け方は、これに限られず、ハーフカットなどが適宜採用されてもよい。
【００６９】
ブランク１３２は、前方の側壁部１０２と後方の側壁部１０４の各々を底部１０１に対して上方へ起立させるように、底部１０１が有する左右に延びる各辺で折り曲げられる。
【００７０】
ブランク１３２は、左前方の側方フラップ１０６と右前方の側方フラップ１０８との各々が後方へ向かうように、前方の側壁部１０２が左右に有する各側端で折り曲げられる。また、ブランク１３２は、左後方の側方フラップ１０７と右後方の側方フラップ１０９との各々が前方へ向かうように、後方の側壁部１０４が左右に有する各側端で折り曲げられる。これによって、ブランク１３２は、図５に示す第１の状態になる。
【００７１】
ブランク１３２は、左方の側壁部１０３と右方の側壁部１０５の各々を底部１０１に対して上方へ起立させるように、底部１０１が有する前後に延びる各辺で折り曲げられる。これによって、ブランク１３２は、図６に示す第２の状態になる。同図に示すように、第２の状態では、底部１０１と４つの側壁部１０２〜１０５とによって、内部の空間が概ね形成された箱状の箱容器１００となる。
【００７２】
ここで、図７は、図６に示す第２の状態の箱容器１００を左方から見た図である。本実施の形態では係止スリット１１８，１１９の幅は可撓部１２２，１２３の幅に相当するところ、同図に示すように、係止スリット１１８，１１９の幅は、係止片１１０，１１１の幅よりも広い。すなわち、係止スリット１１８，１１９は、上述のように、係止片１１０，１１１が挿入された状態で幅方向にすき間を有する。このすき間が設けられることによって、係止片１１０，１１１の前後の位置を図６に示す位置に正確に固定していなくても、係止片１１０，１１１を係止スリット１１８，１１９に挿入することができる。従って、箱容器１００を容易に組み立てることが可能になる。
【００７３】
なお、第２の状態の箱容器１００において、右方の側壁部１０５、右方の上方フラップ１１５、右前方の側方フラップ１０８及び係止片１１２、右後方の側方フラップ１０９及び係止片１１３などの位置関係は、図７を概ね左右対称にしたものとなる。
【００７４】
図６に示す第２の状態の箱容器１００の左方の上方フラップ１１４は、左方の側壁部１０３の上端を折り目として、箱容器１００の内側に折り曲げられる。詳細には、左方の上方フラップ１１４は、左前方及び左後方の側方フラップ１０６，１０７を左方の側壁部１０３との間に挟むように、左方の側壁部１０３との境目、すなわち、左方の側壁部１０３の上端で折り曲げられる。
【００７５】
これにより、左前方及び左後方の係止スリット１１８，１１９が形成されるとともに、形成される係止スリット１１８，１１９のそれぞれに係止片１１０，１１１が挿入される。
【００７６】
また、係止片１１０，１１１の前後の位置を、図７に示す位置に位置付けることによって、係止片１１０，１１１の左右の移動と、左前方の係止片１１０の後方への移動と、左後方の係止片１１１の前方への移動とは、係止スリット１１８，１１９を囲む部分で係止される。同時に、左前方の係止片１１０の前方への移動は、左前方の突出部１２６によって制限され、左後方の係止片１１１の後方への移動は、左後方の突出部１２７によって制限される。
【００７７】
ここで、図８（ａ）〜（ｅ）を参照して、左前方の係止片１１０が左前方の係止スリット１１８に挿入される工程を説明する。左後方の係止片１１１も、以下の説明で括弧を付した参照符号により示すように、左前方の係止片１１０と概ね同時に左後方の係止スリット１１９に挿入される。
【００７８】
図８（ａ）は、図７に示す第２の状態の箱容器１００の、Ｉ−Ｉ線における断面図である。図８（ａ）の矢印に示す方向の力が左方の上方フラップ１１４に加えられる。これにより、図８（ｂ）に示すように、左方の上方フラップ１１４が右方へ傾斜し、可撓部１２２（１２３）は係止片１１０（１１１）に押されて上方へ撓み、係止片１１０（１１１）とそれが延設される側方フラップ１０６（１０７）とは、可撓部１２２（１２３）からの反力によって右方へ撓む。
【００７９】
さらに、図８（ｂ）の矢印に示す方向の力が左方の上方フラップ１１４に加えられると、図８（ｃ）に示すように、可撓部１２２（１２３）は、係止片１１０（１１１）に押されて上方へ大きく撓み、係止片１１０（１１１）とそれが延設される側方フラップ１０６（１０７）との右方への撓みも大きくなっている。
【００８０】
このとき、左方の側壁部１０３の上端は、図７に示されるように、下方へ凹んだ部分と上方へ突き出た部分とで構成される凹凸部を２つ含む。凹凸部は、それぞれ、左方の上方フラップ１１４が右方を向くと、左方の上方フラップ１１４の係止スリット１１８，１１９となる。同時に、左方の側壁部１０３の上端の凹んだ部分は、それぞれと相補的な形状をなす突出部１２６，１２７として、可撓部１２２，１２３の先端に連続して接続することになる。
【００８１】
また、可撓部１２２（１２３）の撓みが大きくなっているので、可撓部１２２（１２３）からの反力は、係止片１１０（１１１）を左方へ押すようになる。そのため、可撓部１２２（１２３）は係止片１１０（１１１）を係止スリット１１８（１１９）へ移動させることになる。これによって、係止片１１０（１１１）は、容易に係止スリット１１８（１１９）へ導かれる。可撓部１２２（１２３）が撓むことで、可撓部１２２（１２３）から係止片１１０（１１１）に加わる力は弱められるので、係止片１１０（１１１）が折れ曲がることなどによって脆弱になる可能性も低い。
【００８２】
そして、図８（ｄ）に示すように、左方の上方フラップ１１４が内側へ大きく折り曲げられると、係止片１１０（１１１）が係止スリット１１８（１１９）に挿入される。このとき、大きく撓んだ可撓部１２２（１２３）に加わる力が急激になくなって概ね平坦に戻るので、組み立てる可撓部１２２（１２３）が弾かれる音、クリック感などが生じる。これにより、箱容器１００を組み立てる作業者は、係止片１１０（１１１）が係止スリット１１８（１１９）に挿入されたことが分かる。
【００８３】
ここで、係止スリット１１８（１１９）の幅は、上述のように、係止片１１０（１１１）の幅よりも広い。そのため、例えば、係止片１１０と係止片１１０とが、完成時の位置（例えば、図３参照）よりも前後に離間していても、それぞれは、係止スリット１１８と係止スリット１１９に挿入される。これにより、係止片１１０（１１１）を係止スリット１１８（１１９）に容易に挿入することができる。
【００８４】
係止片１１０と係止片１１１とのそれぞれは、係止スリット１１８と係止スリット１１９に挿入された後に、係止片１１０と係止片１１１との前後方向の位置が調整されるとよい。詳細には、係止片１１０は、係止スリット１１８の中で突出部１２６よりも後方に位置するように調整されるとよい。係止片１１１は、係止スリット１１９の中で突出部１２７よりも前方に位置するように調整されるとよい。
【００８５】
係止片１１０と係止片１１１とは、それぞれ、左前方の側方フラップ１０６と左後方の側方フラップ１０７とに接続している。そのため、係止片１１０と係止片１１１との前後方向の位置は、前方の側壁部１０２と後方の側壁部１０４との間隔を調整することによって、容易に調整することができる。
【００８６】
図８（ｅ）に示すように、左方の上方フラップ１１４が概ね右方を向くように、左方の上方フラップ１１４の位置が修正される。これによって、左前方の係止片１１０が左前方の係止スリット１１８に挿入される工程は、終了する。
【００８７】
なお、係止スリット１１８，１１９のそれぞれに係止片１１０，１１１を挿入する工程は、例えばブランク１３２の強度、箱容器１００の大きさなどに応じて、適宜変更されてもよい。例えば、左前方の係止片１１０と左後方の係止片１１１とが順次、左前方の係止スリット１１８と左後方の係止スリット１１９とのそれぞれに挿入されてもよい。
【００８８】
続けて、箱容器１００の右方の上方フラップ１１５は、右前方及び右後方の側方フラップ１０８，１０９を右方の側壁部１０５との間に挟むように箱容器１００の内側へ、右方の側壁部１０５の上端を折り目として折り曲げられる。これにより、右前方及び右後方の係止片１１３のそれぞれが、右前方及び右後方の係止スリット１２１に挿入される。この工程の詳細は、左方の側壁部１０３の上端で折り曲げて、左前方及び左後方の係止片１１０，１１１のそれぞれを左前方及び左後方の係止スリット１１８，１１９に挿入する工程の上述の説明において、概ね左右を入れ替えたものとなる。
【００８９】
そして、係止片１１２，１１３の前後の位置を、予め定められた位置（図７を左右対称にしたものに対応する位置）に位置付けることによって、係止片１１２，１１３の左右の移動と、右前方の係止片１１２の後方への移動と、右後方の係止片１１３の前方への移動とは、係止スリット１２０，１２１を囲む部分で係止される。同時に、右前方の係止片１１２の前方への移動は、右前方の突出部１２８によって制限され、右後方の係止片１１３の後方への移動は、右後方の突出部１２９によって制限される。
【００９０】
箱容器１００は、蓋部１１６が複数の側壁部１０２〜１０５の上端で形成される開口を塞ぐように、後方の側壁部１０４の上端で折り曲げられる。箱容器１００は、蓋止めフラップ１１７が前方の側壁部の前方に位置するように、蓋部１１６の前端で折り曲げられる。差込片１３０が差込口１３１に差し込まれ、差込片１３０は差込口１３１に係止される。これにより、蓋部１１６が開かないように係止されて、箱容器１００が完成する。
【００９１】
本実施の形態によれば、箱容器１００に可撓部１２２〜１２５が設けられている。そのため、上述のように、係止片１１０〜１１３を係止スリット１１８〜１２１へ挿入する際に、係止片１１０〜１１３が脆弱になることを防ぎ、また、係止片１１０〜１１３を係止スリット１１８〜１２１へ移動させることができる。従って、箱容器１００を容易に組み立てることが可能になる。
【００９２】
本実施の形態に係る箱容器１００では、係止片１１０〜１１３のそれぞれが係止スリット１１８〜１２１によって係止されることで、隣接する側壁部１０２と１０３，１０３と１０４，１０４と１０５，１０５と１０２が互いに離れないように係止される。そのため、内部から力が加わったとしても、隣接する側壁部１０２と１０３，１０３と１０４，１０４と１０５，１０５と１０２が開放し難い。従って、強度が強い箱容器１００を得ることが可能になる。
【００９３】
ここで、箱容器１００に内部から力が加わる例として、箱容器１００の中にパン生地を収容して発酵させる際、パン生地を入れた箱容器１００を電子レンジで加熱する際などに、パンが膨らむ場合を挙げることができる。
【００９４】
本実施の形態によれば、箱容器１００に突出部１２６〜１２９が設けられている。これによって、係止片１１０〜１１３の挿入を容易にするために、係止スリット１１８〜１２１の幅を広くしても、係止片１１０〜１１３が、係止スリット１１８〜１２１の中で移動する範囲を制限することができる。そのため、箱容器１００の前方又は後方の側壁部１０２，１０４に内部からの力が加わった際に前方又は後方の側壁部１０２，１０４が容易に開放することを防ぐことができる。従って、箱容器１００の組み立てを容易にしつつ、箱容器１００の強度を強くすることが可能になる。
【００９５】
実施の形態では、左前方の係止片１１０の前端と左後方の係止片１１１の後端と右前方の係止片１１２の前端と右後方の係止片１１３の後端とが、それぞれ、係止片１１０〜１１３が延設される側方フラップ１０６〜１０９の上端に対して垂直に形成される。
【００９６】
これにより、左前方の係止片１１０及び右前方の係止片１１２の前端は、それぞれ、側方フラップ１０６，１０８の上端に対して鈍角に形成されている（すなわち、後方へ傾斜しつつ上方へ延びる）場合よりも、前方の側壁部１０２が内部から力を受けても係止スリット１１８，１２０を移動し難くなる。同様に、また、左後方の係止片１１１及び右後方の係止片１１３の後端とは、それぞれ、側方フラップ１０７，１０９の上端に対して鈍角に形成されている（すなわち、前方へ傾斜しつつ上方へ延びる）場合よりも、後方の側壁部１０４が内部から力を受けても係止スリット１１９，１２１を移動し難くなる。
【００９７】
そのため、係止片１１０〜１１３と係止スリット１１８〜１２１とによる係止が解かれ難くなる。これにより、箱容器１００が内部から受ける力によって容易に開放することを防ぐことができる。従って、強度が強い箱容器１００を得ることが可能になる。
【００９８】
本実施の形態によれば、差込片１３０が差込口１３１に差し込まれて係止され、その結果、蓋部１１６が開かないように係止される。このとき、蓋部１１６を介して、前方及び後方の側壁部１０２，１０４が拘束されるので、内部から力が加わったとしても、前方及び後方の側壁部１０２，１０４が開放し難くい。従って、強度が強い箱容器１００を得ることが可能になる。
【００９９】
以上、本発明の一実施の形態について説明した。しかし、本発明は、この実施の形態に限定されるものではなく、例えば、次のように変形されてもよい。
【０１００】
（変形例１）
例えば、実施の形態では、左前方の係止片１１０の前端と左後方の係止片１１１の後端と右前方の係止片１１２の前端と右後方の係止片１１３の後端とが、それぞれ、係止片１１０〜１１３が延設される側方フラップ１０６〜１０９の上端に対して垂直に形成される例を説明した。
【０１０１】
しかし、左前方の係止片１１０の前端と左後方の係止片１１１の後端と右前方の係止片１１２の前端と右後方の係止片１１３の後端との一部又は全部は、それぞれ、係止片１１０〜１１３が延設される側方フラップ１０６〜１０９の上端に対して、鋭角に形成されていてもよい。すなわち、左前方の係止片１１０の前端と右前方の係止片１１２の前端との一方又は両方が、前方へ傾斜しつつ上方へ延びてもよい。また、左後方の係止片１１１の後端と右後方の係止片１１３の後端との一方又は両方が、後方へ傾斜しつつ上方へ延びてもよい。
【０１０２】
これにより、左前方の係止片１１０及び右前方の係止片１１２の前端は、それぞれ、前方の側壁部１０２が内部から力を受けても、係止スリット１１８，１２０を移動し難くなる。また、左後方の係止片１１１及び右後方の係止片１１３の後端とは、それぞれ、後方の側壁部１０４が内部から力を受けても係止スリット１１９，１２１を移動し難くなる。そのため、係止片１１０〜１１３と係止スリット１１８〜１２１とによる係止が解かれ難くなる。従って、箱容器１００が内部から受ける力によって容易に開放することを防ぐことが可能になる。
【０１０３】
（変形例２）
例えば、箱容器２００の蓋を開いた状態での斜視図である図９に示すように、上方フラップ２３３，２３４の各々は、前方の側壁部１０２に設けられてもよく、上方フラップ２１４，２１５，２３３，２３４の各々は、１つの係止スリット２１８〜２２１及び可撓部２２２〜２２５を有してもよい。また、係止片２１０，２１２を有する側方フラップ２０６，２０８が、それぞれ、左方及び右方の側壁部１０３，１０５に設けられてもよい。
【０１０４】
係止片２１０，２１２は、それぞれ、係止スリット２１８，２２０に挿入されることによって係止され、係止片１１１，１１３は、それぞれ、係止スリット２１９，２２１に挿入されることによって係止される。その結果、隣接する側壁部１０２と１０３，１０３と１０４，１０４と１０５，１０５と１０２は、互いに開放しないように係止される。図９では、蓋部１１６の一部が切り欠いて示されている。本変形例に係る箱容器２００を組み立てるためのブランク２３２の一例を図１０に示す。本変形例によっても、実施の形態と同様の効果を奏する。
【０１０５】
なお、本変形例では、例えば、前方の側壁部１０２と左方の側壁部１０３とについて見ると、側方フラップ２０６が接続する左方の側壁部１０３が第１の側壁部に相当し、上方フラップ２３３が接続する前方の側壁部１０２が第２の側壁部に相当すると考えることができる。
【０１０６】
また例えば、後方の側壁部１０４と左方の側壁部１０３とについて見ると、それぞれが、第１の側壁部、第２の側壁部に相当すると考えることができ、後方の側壁部１０４と右方の側壁部１０５とについて見ると、それぞれが、第１の側壁部、第２の側壁部に相当すると考えることができ、右方の側壁部１０５と前方の側壁部１０２とについて見ると、それぞれが、第１の側壁部、第２の側壁部に相当すると考えることができる。
【０１０７】
（変形例３）
例えば、箱容器３００の蓋を開いた状態での斜視図である図１１に示すように、上方フラップ３１４，３１５の各々に設けられた１つの係止スリット３１８，３２０に、２つの係止片３１０と３１１，３１２と３１３が挿入され、それによって、係止片３１０と３１１，３１２と３１３が係止されてもよい。
【０１０８】
詳細には、本変形例に係る箱容器３００は、図１１に示すように、実施の形態と同様の底部１０１、側壁部１０２〜１０５、差込口１３１及び蓋部１１６などを備える。また、箱容器３００は、側方フラップ３０６〜３０９と、係止片３１０〜３１３と、上方フラップ３１４，３１５とを備える。
【０１０９】
側方フラップ３０６〜３０９は、それぞれ、前方の側壁部１０２又は後方の側壁部１０４に接続し、かつ、側壁部１０３又は右方の側壁部１０５の内面に対向することは、実施の形態に係る側方フラップ１０６〜１０９と同様である。また、側方フラップ３０６〜３０９は、それぞれ、側方フラップ１０６〜１０９と同様に係止片１１０〜１１３が上端から上方へ延設されている。
【０１１０】
側方フラップ３０６〜３０９は、前後方向の長さが、実施の形態に係る側方フラップ１０６〜１０９と異なっており、図１１に示すように、側方（左方又は右方）から見て、側方フラップ３０６と側方フラップ３０７とが互いに重なり合い、側方フラップ３０８と側方フラップ３０９とが互いに重なり合う。
【０１１１】
そして、係止片３１０〜３１３のそれぞれは、実施の形態に係る係止片１１０〜１１３と同様に、側方フラップ３０６〜３０９の上端から上方へ突き出している。また、係止片３１０〜３１３のそれぞれは、実施の形態に係る係止片１１０〜１１３と同様に、左前方の側方フラップ３０６の後方端部、左後方の側方フラップ３０７の前方、右前方の側方フラップ３０８の後方端部、右後方の側方フラップ３０９の前方端部を含む位置に設けられる。
【０１１２】
そのため、左前方の係止片３１０と左後方の係止片３１１とは、互いに平行に配置されて、側方（すなわち、例えば左方の側壁部１０３の法線方向）から見て、少なくとも一部が互いに重なり合う。また、右前方の係止片３１２と右後方の係止片３１３とは、互いに平行に配置されて、側方（すなわち、例えば右方の側壁部１０５の法線方向）から見て、少なくとも一部が互いに重なり合う。
【０１１３】
上方フラップ３１４，３１５は、それぞれ、実施の形態に係る上方フラップ１１４，１１５と同様に、左方の側壁部１０３、右方の側壁部１０５に接続する。上方フラップ３１４は、実施の形態に係る上方フラップ１１４と同様に、左前方の側方フラップ３０６と左後方の側方フラップ３０７との上方に延びて設けられている。上方フラップ３１５は、実施の形態に係る上方フラップ１１５と同様に、右前方の側方フラップ３０８と右後方の側方フラップ３０９との上方に延びて設けられている。
【０１１４】
上方フラップ３１４は、実施の形態に係る上方フラップ１１４とは異なる係止スリット３１８、可撓部３２２及び突出部３２６，３２７を有する。上方フラップ３１５も、実施の形態に係る上方フラップ１１５とは異なる係止スリット３２０、可撓部３２４及び突出部３２８，３２９を有する。上方フラップ３１５は、上方フラップ３１４と概ね左右対称に構成されるので、説明を簡明にするため、上方フラップ３１４が有する係止スリット３１８、可撓部３２２及び突出部３２６，３２７について詳細に説明する。
【０１１５】
係止スリット３１８は、上述のように互いに重なり合った係止片３１０と係止片３１１とが挿入されるように、互いに重なり合った係止片３１０と係止片３１１とに対応付けて設けられた孔であり、上方から見て概ね矩形である。
【０１１６】
係止スリット３１８の幅は、挿入される係止片３１０，３１１の全体の幅よりも広く、係止片３１０，３１１が挿入された状態で幅方向にすき間を有する。
【０１１７】
ここで、係止片３１０，３１１の全体の幅とは、係止片３１０，３１１の全体の左右の長さであり、係止片３１０，３１１の各々が有する側端（前端及び後端）のうち、前方の側壁部１０２に最も近い側端と後方の側壁部１０４に最も近い側端との前後方向の距離である。
【０１１８】
例えば、係止スリット３１８の幅は、挿入される係止片３１０，３１１の全体の幅に、係止片３１０，３１１の高さの２〜３倍を前後それぞれに加えた長さに相当するものである。この場合、係止片３１０，３１１が挿入された状態で係止スリット３１８が幅方向に有するすき間は、前後それぞれに、係止片３１０，３１１の高さの２〜３倍になる。
【０１１９】
係止スリット３１８の厚さ方向の長さは、係止片３１０，３１１の重なり合った部分の厚さより大きく、例えば、係止片３１０，３１１の重なり合った部分の厚さの２倍程度である。
【０１２０】
このような係止スリット３１８に挿入された係止片３１０，３１１は、係止スリット３１８を囲む部分によって前後左右の移動範囲が制限され、その結果、係止スリット３１８の中に係止される。より詳細には、係止スリット３１８を囲む部分は、右方、前方、後方の各々が左方の上方フラップ３１４であり、左方が左方の側壁部１０３である。
【０１２１】
可撓部３２２は、左方の側壁部１０３と交差する方向へ対をなして延び、かつ、係止片３１０，３１１の全体の幅以上の間隔で各々が係止スリット３１８に接続する切れ込みによって形成される。本変形例では、可撓部３２２の各々を形成する切れ込みは、左右に平行に対をなして延びており、係止スリット３１８の幅方向の両端の各々に接続する。
【０１２２】
これにより、可撓部３２２は、実施の形態に係る可撓部１２２と同様に、右端部が固定されて支持された固定端となり、左端部（先端部）が自由端となる。従って、可撓部１２２は、先端部の位置を上下方向に変化させるように容易に撓むことができる。
【０１２３】
可撓部３２２は、係止片３１０，３１１が挿入された状態で係止スリット３１８が有する前後それぞれのすき間の少なくとも一部を塞ぐ突出部３２６，３２７を有する。
【０１２４】
詳細には、左前方の突出部３２６と左後方の突出部３２７とは、それぞれ、可撓部３２２の先端のうち、前方の側壁部１０２に近い端（前端）と後方の側壁部１０４に近い端（後端）とを含んで突き出す。
【０１２５】
これにより、左前方の突出部３２６は、左前方の突出部３２６を有する左方の上方フラップ３１４が接続する左方の側壁部１０３と、左前方の突出部３２６に関連付けられる前方の側壁部１０２とが離間する方向への左前方の係止片３１０の移動を制限する。また、左後方の突出部３２７は、左後方の突出部３２７を有する左方の上方フラップ３１４が接続する左方の側壁部１０３と、左後方の突出部３２７に関連付けられる後方の側壁部１０４とが離間する方向への左後方の係止片３１１の移動を制限する。
【０１２６】
なお、例えば、本変形例に係る係止スリット３１８は、第１の係止スリットに相当し、本変形例に係る可撓部３２２は、第１の可撓部に相当すると考えることができる。
【０１２７】
本変形例に係る箱容器３００を組み立てるためのブランク３３２の一例を図１２に示す。本変形例によっても、実施の形態と同様の効果を奏する。
【０１２８】
さらに、本変形例によれば、１つの係止スリット３１８（３２０）に２つの係止片３１０と３１１（３１２と３１３）が挿入されて、係止される。そのため、上方フラップ３１４（３１５）に設ける係止スリット３１８（３２０）、可撓部３２２（３２４）の数を実施の形態よりも少なくすることができる。その結果、箱容器３００を簡易な構成にすることが可能になる。また、箱容器３００を組み立てるためのブランク３３２の加工を減らすことが可能になる。
【０１２９】
さらに、本変形例によれば、係止片３１０と３１１（３１２と３１３）の少なくとも一部が重なり合う。これによって、係止片３１０と３１１（３１２と３１３）の強度を強くすることができる。そのため、可撓部３２２（３２４）が当接しても、係止片３１０と３１１（３１２と３１３）が折れ曲がったり、曲げ癖が付いたりして、係止片３１０と３１１（３１２と３１３）が脆弱になる可能性を低くすることができる。従って、箱容器３００を容易に組み立てることが可能になる。
【０１３０】
（変形例４）
例えば、蓋部１１６には、左右に延びる切取線が設けられてもよい。切取線を設けることで、差込片１３０の係止を解くことなく、蓋部１１６を前後に分離して開くことができる。従って、蓋部１１６を容易に開くことが可能になる。
【０１３１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１３２】
１００，２００，３００  箱容器
１０１  底部
１０２〜１０５  側壁部
１０６〜１０９，２０６，２０８，３０６〜３０９  側方フラップ
１１０〜１１３，２１０，２１２，３１０〜３１３  係止片
１１４，１１５，２１４，２１５，２３３，２３４，３１４，３１５  上方フラップ
１１６  蓋部
１１７  蓋止めフラップ
１１８〜１２１，２１８〜２２１，３１８，３２０  係止スリット
１２２〜１２５，２２２〜２２５，３２２，３２４  可撓部
１２６〜１２９，３２６〜３２９  突出部
１３０  差込片
１３１  差込口
１３２，２３２，３３２  ブランク
【図１】
0006395596.tif 000002
【図２】
0006395596.tif 000003
【図３】
0006395596.tif 000004
【図４】
0006395596.tif 000005
【図５】
0006395596.tif 000006
【図６】
0006395596.tif 000007
【図７】
0006395596.tif 000008
【図８】
0006395596.tif 000009
【図９】
0006395596.tif 000010
【図１０】
0006395596.tif 000011
【図１１】
0006395596.tif 000012
【図１２】
0006395596.tif 000013